(57)【要約】【課題】回路基板に圧入したプレスフィット端子とスルーホールとの接触面積を増やして両者の確実な電気的接続を実現する。【解決手段】プレスフィット端子１をスルーホール１１に圧入すると、スルーホール１１からの反力を受けたプレスフィット部１３が、第１アーム部２３の第１幅狭部３５と第２アーム部２５の第２幅狭部３９とが接近するように、スリット２１の周囲を反時計回りに周回する方向に捻れ変形し、第１アーム部２３及び第２アーム部２５の、幅方向Ｙに変形しにくい第１幅広部３７寄りの部分及び第２幅広部４１寄りの部分が、スルーホール１１の内壁に圧接される。また、幅方向Ｙに変形しやすい第１幅狭部３５寄りの部分及び第２幅狭部３９寄りの部分が、スルーホール１１からの反力により、スルーホール１１の内壁に当接しつつスリット２１側に変形した状態に維持される。これにより、プレスフィット端子１とスルーホール１１との接触面積が増える。【選択図】図１
2019087307.tif 000002
【特許請求の範囲】
【請求項１】
回路基板のスルーホールに圧入されて、該スルーホールへの圧入方向と直交する幅方向に変形するプレスフィット部と、
前記プレスフィット部に形成されたスリットと、
前記プレスフィット部の前記幅方向における前記スリットの両側にそれぞれ形成され、前記圧入方向における前記スリットの一端及び他端において前記幅方向に接続された第１アーム部及び第２アーム部と、
前記第１アーム部の前記圧入方向における一端側に形成された第１幅狭部、及び該第１幅狭部よりも前記幅方向において大きい寸法で前記第１アーム部の前記圧入方向における他端側に形成された第１幅広部と、
前記第２アーム部の前記圧入方向における一端側に形成された第２幅広部、及び該第２幅広部よりも前記幅方向において小さい寸法で前記第２アーム部の前記圧入方向における前記他端側に形成された第２幅狭部と、
を備えるプレスフィット端子。
【請求項２】
前記プレスフィット部における前記第１アーム部及び前記第２アーム部が前記幅方向において接続された部分にそれぞれ形成されて、前記圧入方向における前記スリットの一端及び他端にそれぞれ接続された、前記圧入方向及び前記幅方向と直交する厚み方向にそれぞれ深さを有する切り込み部をさらに有する請求項１記載のプレスフィット端子。
【発明の詳細な説明】
【技術分野】
【０００１】
本発明は、回路基板のスルーホールに圧入されて接触圧によりスルーホールとの電気的接続を果たすプレスフィット端子に関する。
【背景技術】
【０００２】
プレスフィット端子は、回路基板のスルーホールに圧入されて接触圧によりスルーホールとの電気的接続を果たす。即ち、プレスフィット端子と回路基板との電気接続には半田付けを必要としない。
【０００３】
このため、プレスフィット端子は、端子を有するコネクタ等の部品を回路基板に実装する際の工程の簡素化や鉛フリー化、あるいは、端子間距離の短縮による回路基板上での端子配列の細密化に貢献するものとして、従来から注目されている。
【０００４】
このような事情から、プレスフィット端子には、基板のスルーホールとの接触面積を大きくし、スルーホールの内壁とプレスフィット端子との金属結合部分を増やすことで、スルーホールに圧入したプレスフィット端子の保持安定性を高くすることが重要視される。そこで、スルーホールによる保持安定性を高くするものとして、次のようなプレスフィット端子が提案されている。
【０００５】
このプレスフィット端子では、導電性の金属線を径方向へのプレス加工により角棒状に形成して、プレス方向の両側に形成されたプレス加工面にダイにより凹部をそれぞれ形成し、両凹部の底面間の薄肉部を打ち抜くことでスリットを貫設している。そして、スリットを形成した部分を、スルーホールに圧入されるプレスフィット部としている。
【０００６】
このプレスフィット端子では、プレス加工面の凹部を打ち抜いてプレス方向と直交する幅方向に拡開することでスリットが貫設される。そのため、プレスフィット部は、スリットを貫設した部分が他の部分よりも幅方向に広く膨らんだ形状となる。
【０００７】
プレスフィット部の幅方向に膨らんだ部分は、スルーホールの孔径よりも大きい寸法を有している。そのため、プレスフィット端子はスルーホールに対して、スルーホールの内径と同じ寸法までプレスフィット部の幅方向の寸法が小さくなるように変形した状態で圧入される（以上、特許文献１）。
【先行技術文献】
【特許文献】
【０００８】
【特許文献１】特開２００５−２２８７１０号公報
【発明の概要】
【発明が解決しようとする課題】
【０００９】
上述したようにプレスフィット部がスリットの貫設部分において幅方向に膨らんでいるプレスフィット端子では、凹部を打ち抜いてスリットを貫設する際に、スリットが存在せず幅方向の全体がつながっているプレスフィット端子の先端側や基端側よりも、スリットを挟んで二股に分かれた中間部分の方が、幅方向の寸法が細くなる。
【００１０】
このため、プレスフィット端子をスルーホールに圧入する際にプレスフィット部が幅方向のスリット側に変形すると、その変形量は、プレスフィット端子の先端側や基端側よりも中間部分の方が大きくなる。よって、プレスフィット部がスルーホールに接触する部分は、スリット側への変形量が大きい中間部分よりも、スリット側への変形量が少ないプレスフィット端子の先端側や基端側となる。
【００１１】
したがって、スルーホールにプレスフィット部の一部分しか接触させることができず、プレスフィット端子とスルーホールとの接触面積を増やして両者の確実な電気的接続を実現するには不利な構造となってしまう。
【００１２】
本発明は前記事情に鑑みなされたもので、本発明の目的は、回路基板のスルーホールに圧入した際の接触面積を増やしてスルーホールとの確実な電気的接続を実現することができるプレスフィット端子を提供することにある。
【課題を解決するための手段】
【００１３】
上記目的を達成するため、本発明の第１の態様によるプレスフィット端子は、
回路基板のスルーホールに圧入されて、該スルーホールへの圧入方向と直交する幅方向に変形するプレスフィット部と、
前記プレスフィット部に形成されたスリットと、
前記プレスフィット部の前記幅方向における前記スリットの両側にそれぞれ形成され、前記圧入方向における前記スリットの一端及び他端において前記幅方向に接続された第１アーム部及び第２アーム部と、
前記第１アーム部の前記圧入方向における一端側に形成された第１幅狭部、及び該第１幅広部よりも前記幅方向において大きい寸法で前記第１アーム部の前記圧入方向における他端側に形成された第１幅広部と、
前記第２アーム部の前記圧入方向における一端側に形成された第２幅広部、及び該第２幅広部よりも前記幅方向において小さい寸法で前記第２アーム部の前記圧入方向における前記他端側に形成された第２幅狭部と、
を備える。
【００１４】
本発明の第１の態様によるプレスフィット端子によれば、プレスフィット部の第１アーム部では、幅方向における寸法が圧入方向における他端側の第１幅広部よりも小さい一端側の第１幅狭部が、第１幅広部よりも幅方向に変形し易い。一方、プレスフィット部の第２アーム部では、幅方向における寸法が圧入方向における一端側の第２幅広部よりも小さい他端側の第２幅狭部が、第２幅広部よりも幅方向に変形し易い。
【００１５】
このため、プレスフィット端子が回路基板のスルーホールに圧入されると、プレスフィット部の第１アーム部では、他端側の第１幅広部よりも一端側の第１幅狭部の方がスリット側に大きく変形する。一方、第２アーム部では、一端側の第２幅広部よりも他端側の第２幅狭部の方がスリット側に大きく変形する。
【００１６】
したがって、プレスフィット端子がスルーホールに圧入されて幅方向に変形したプレスフィット部は、圧入方向における一端側では、第２幅広部が形成された第２アーム部よりも第１幅狭部が形成された第１アーム部の方が、スリット側に大きく変形する。また、圧入方向における他端側では、第１幅広部が形成された第１アーム部よりも第２幅狭部が形成された第２アーム部の方が、スリット側に大きく変形する。
【００１７】
このように、第１アーム部と第２アーム部とでは、プレスフィット端子がスルーホールに圧入されたときに幅方向に変形し易い部分（第１幅狭部、第２幅狭部）の位置や、幅方向に変形しにくい部分（第１幅広部、第２幅広部）の位置が、圧入方向において異なる。
【００１８】
よって、スルーホールに圧入されたプレスフィット端子のプレスフィット部は、スルーホールの中心軸を挟んで線対称の相似形状に変形するのではなく、スリットの周囲を周回する方向に捻れ変形する。
【００１９】
このため、プレスフィット端子がスルーホールに圧入されると、プレスフィット部の第１アーム部では、幅方向に変形しにくい第１幅広部寄りの圧入方向における他端側の部分が、スルーホールの内壁に圧接される。また、幅方向に変形しやすい第１幅狭部寄りの圧入方向における一端側の部分が、圧接されたスルーホールからの反力によりスリット側に変形しつつ、スルーホールの内壁に当接した状態に維持される。
【００２０】
一方、プレスフィット端子がスルーホールに圧入されると、プレスフィット部の第２アーム部では、幅方向に変形しにくい第２幅広部寄りの圧入方向における一端側の部分が、スルーホールの内壁に圧接される。また、幅方向に変形しやすい第２幅狭部寄りの圧入方向における他端側の部分が、圧接されたスルーホールからの反力によりスリット側に変形しつつ、スルーホールの内壁に当接した状態に維持される。
【００２１】
このため、プレスフィット端子がスルーホールに圧入された際に、スルーホールからの反力により幅方向に変形するプレスフィット部を、幅方向におけるスリットの両側の第１アーム部及び第２アーム部の双方において、圧入方向における一端側から他端側に亘る広い範囲で、スルーホールの内壁に当接させることができる。よって、プレスフィット端子とスルーホールとの接触面積を増やして両者の確実な電気的接続を実現することができる。
【００２２】
また、本発明の第２の態様によるプレスフィット端子は、前記プレスフィット部における前記第１アーム部及び前記第２アーム部が前記幅方向において接続された部分にそれぞれ形成されて、前記圧入方向における前記スリットの一端及び他端にそれぞれ接続された、前記圧入方向及び前記幅方向と直交する厚み方向にそれぞれ深さを有する切り込み部をさらに有する。
【００２３】
本発明の第１の態様によるプレスフィット端子では、プレスフィット端子がスルーホールに圧入されて、プレスフィット部がスルーホールからの反力を受けると、その反力により、第１アーム部には、幅方向に変形しやすい第１幅狭部が形成された圧入方向における一端側から、幅方向に変形しにくい第１幅広部が形成された圧入方向における他端側に向かう応力が生じる。
【００２４】
一方、第２アーム部には、幅方向に変形しやすい第２幅狭部が形成された圧入方向における他端側から、幅方向に変形しにくい第２幅広部が形成された圧入方向における一端側に向かう応力が生じる。
【００２５】
ここで、第１アーム部に生じる応力の始点側となる圧入方向における一端側に形成された第１アーム部の第１幅狭部には、第２アーム部のうち幅方向における寸法が大きい第２幅広部が接続されている。このため、第１アーム部の応力に対抗できる剛性を第２幅広部が有していると、第１アーム部の応力によって第１幅狭部が幅方向に変形しにくくなる。
【００２６】
また、第２アーム部に生じる応力の始点側となる圧入方向における他端側に形成された第２アーム部の第２幅狭部には、第１アーム部のうち幅方向における寸法が大きい第１幅広部が接続されている。このため、第２アーム部の応力に対抗できる剛性を第１幅広部が有していると、第２アーム部の応力によって第２幅狭部が幅方向に変形しにくくなる。
【００２７】
すると、プレスフィット端子をスルーホールに圧入しようとしても、第１アーム部及び第２アーム部の双方が幅方向においてスリット側に変形しにくいので、プレスフィット部を幅方向に変形させてプレスフィット端子をスルーホールに圧入することができにくくなってしまう。
【００２８】
これに対し、本発明の第２の態様によるプレスフィット端子では、第１アーム及び第２アームの応力により、圧入方向におけるスリットの一端及び他端に接続して形成した切り込み部が引き裂かれる。
【００２９】
このため、第１アーム部の応力に対抗できる剛性を第２幅広部が有していても、引き裂かれた切り込み部において応力の伝達が遮断されて、第１アーム部の応力が第２幅広部に伝わりにくくなる。したがって、第１幅狭部が第１アームの応力によって幅方向に変形しにくくなることはない。
【００３０】
同様に、第２アーム部の応力に対抗できる剛性を第１幅広部が有していても、引き裂かれた切り込み部において応力の伝達が遮断されて、第２アーム部の応力が第１幅広部に伝わりにくくなる。したがって、第２幅狭部が第２アームの応力によって幅方向に変形しにくくなることはない。
【００３１】
これにより、プレスフィット端子をスルーホールに圧入する際に、第１アーム部や第２アーム部に生じる応力で、プレスフィット部が幅方向に確実に変形できるようにすることができる。
【発明の効果】
【００３２】
本発明によれば、回路基板に圧入したプレスフィット端子とスルーホールとの接触面積を増やして両者の確実な電気的接続を実現することができる。
【図面の簡単な説明】
【００３３】
【図１】本発明の一実施形態に係るプレスフィット端子の要部を示す説明図である。
【図２】図１のプレスフィット端子の使用状態例を示す斜視図である。
【図３】図２のスルーホールに圧入した図１のプレスフィット端子のスルーホールに対する当接状態を示すプレスフィット端子の正面側から見た説明図である。
【発明を実施するための形態】
【００３４】
以下、本発明の実施形態について図面を参照して説明する。図１は本発明の一実施形態に係るプレスフィット端子の要部を示す説明図、図２は図１のプレスフィット端子の使用状態例を示す斜視図である。
【００３５】
図１に示す本実施形態のプレスフィット端子１は、例えば図２に示すように、コネクタ３のハウジング５の外側に導出された端子ピン７の先端部分に適用される。そして、プレスフィット端子１は、コネクタ３が実装される回路基板９のスルーホール１１に圧入される。
【００３６】
図１に示す本実施形態のプレスフィット端子１は、端子ピン７の先端付近に設けられており、回路基板９のスルーホール１１に圧入されるプレスフィット部１３を有している。プレスフィット部１３は、プレスフィット部１３の厚み方向（図１の紙面方向）Ｚに沿って扁平な薄板状を呈している。
【００３７】
プレスフィット部１３は、端子ピン７の各輪郭から、プレスフィット部１３のスルーホール１１への圧入方向Ｘと直交する幅方向Ｙの外方にそれぞれ張り出した膨出部１５，１５を有している。各膨出部１５の輪郭は、２つの直線部１７，１７と両直線部１７，１７間の円弧状の当接部１９とで構成されている。
【００３８】
各直線部１７，１７は、圧入方向Ｘ及び幅方向Ｙにおけるプレスフィット部１３の中心点Ｃから圧入方向Ｘに遠ざかるにつれて、中心点Ｃを通り圧入方向Ｘに延在するプレスフィット部１３の中心軸Ａに近づくように、中心軸Ａに対して傾斜している。各当接部１９は、中心軸Ａから幅方向Ｙに遠ざかる側に凸状の円弧によって形成されている。
【００３９】
なお、プレスフィット部１３は、膨出部１５の当接部１９の部分において、幅方向Ｙにおける寸法が最大となる輪郭で形成されている。
【００４０】
プレスフィット部１３の圧入方向Ｘ及び幅方向Ｙの中心には、スリット２１が形成されている。そして、プレスフィット部１３は、スリット２１の幅方向Ｙにおける両側の膨出部１５によってそれぞれ構成される第１アーム部２３及び第２アーム部２５を有している。
【００４１】
スリット２１は、四隅を丸めた平行四辺形状に形成されており、プレスフィット部１３の中心点Ｃを中心とした点対称形状を有している。
【００４２】
詳しくは、スリット２１は、第１アーム部２３の一部を構成する第１短辺部２７及び第１長辺部２９と、第２アーム部２５の一部を構成する第２短辺部３１及び第２長辺部３３とを有している。
【００４３】
端子ピン７の基端側の第１短辺部２７は、端子ピン７の先端側の第１長辺部２９よりも、第１アーム部２３を構成する膨出部１５の平行する直線部１７から近い位置に配置されている。
【００４４】
そして、第１短辺部２７とこれに平行する直線部１７との間に、第１アーム部２３のうち端子ピン７の基端側の部分（請求項中の第１アーム部の圧入方向における一端側に相当）を構成する第１幅狭部３５が形成されている。同じく、第１長辺部２９とこれに平行する直線部１７との間に、第１アーム部２３のうち端子ピン７の先端側の部分（請求項中の第１アーム部の圧入方向における他端側に相当）を構成する第１幅広部３７が形成されている。
【００４５】
また、端子ピン７の先端側（請求項中の圧入方向における他端側に相当）の第２短辺部３１は、端子ピン７の基端側（請求項中の圧入方向における一端側に相当）の第２長辺部３３よりも、第２アーム部２５を構成する膨出部１５の平行する直線部１７から近い位置に配置されている。
【００４６】
そして、第２短辺部３１とこれに平行する直線部１７との間に、第２アーム部２５のうち端子ピン７の先端側の部分（請求項中の第２アーム部の圧入方向における他端側に相当）を構成する第２幅狭部３９が形成されている。同じく、第２長辺部３３とこれに平行する直線部１７との間に、第２アーム部２５のうち端子ピン７の基端側の部分（請求項中の第２アーム部の圧入方向における一端側に相当）を構成する第２幅広部４１が形成されている。
【００４７】
プレスフィット部１３の圧入方向Ｘにおけるスリット２１の両側の箇所には、スリット２１と接続された切り込み部４３がそれぞれ形成されている。各切り込み部４３は、圧入方向Ｘにおいてスリット２１から遠ざかるにつれて、厚み方向Ｚの深さが小さくなるＶ溝によって構成されている。
【００４８】
この切り込み部４３により、プレスフィット部１３には、スリット２１の圧入方向Ｘにおける両端に連なる薄肉部が設けられている。
【００４９】
このように構成された本実施形態のプレスフィット端子１では、プレスフィット部１３の幅方向Ｙにおける寸法が最大となる当接部１９が、スルーホール１１の孔径よりも大きい寸法を有している。このため、プレスフィット端子１を回路基板９のスルーホール１１に挿入すると、プレスフィット部１３が幅方向Ｙにおけるスリット２１側に変形し、プレスフィット部１３がスルーホール１１に圧入された状態となる。
【００５０】
ここで、プレスフィット部１３の第１アーム部２３では、平行する直線部１７に近く幅方向Ｙにおける寸法が端子ピン７の先端側の第１幅広部３７よりも小さい、端子ピン７の基端側の第１幅狭部３５の方が、第１幅広部３７よりも幅方向Ｙに変形し易い。
【００５１】
一方、プレスフィット部１３の第２アーム部２５では、平行する直線部１７に近く幅方向Ｙにおける寸法が端子ピン７の基端側の第２幅広部４１よりも小さい、端子ピン７の先端側の第２幅狭部３９の方が、第２幅広部４１よりも幅方向Ｙに変形し易い。
【００５２】
このため、プレスフィット端子１が回路基板９のスルーホール１１に圧入されて、第１アーム部２３及び第２アーム部２５がスルーホール１１からの反力を受けると、図３の説明図に示すように、プレスフィット部１３の第１アーム部２３では、端子ピン７の先端側の第１幅広部３７よりも端子ピン７の基端側の第１幅狭部３５の方がスリット２１側に大きく変形する。
【００５３】
一方、第２アーム部２５では、端子ピン７の基端側の第２幅広部４１よりも端子ピン７の先端側の第２幅狭部３９の方がスリット側に大きく変形する。
【００５４】
したがって、プレスフィット端子１がスルーホール１１に圧入されて幅方向Ｙに変形したプレスフィット部１３は、端子ピン７の基端側では、第２幅広部４１を有する第２アーム部２５よりも第１幅狭部３５を有する第１アーム部２３の方が、幅方向Ｙにおいてスリット２１側に大きく変形する。
【００５５】
また、端子ピン７の先端側では、第１幅広部３７を有する第１アーム部２３よりも第２幅狭部３９を有する第２アーム部２５の方が、幅方向Ｙにおいてスリット２１側に大きく変形する。
【００５６】
このように、第１アーム部２３と第２アーム部２５とでは、プレスフィット端子１がスルーホール１１に圧入されたときに幅方向Ｙに変形し易い部分（第１幅狭部３５、第２幅狭部３９）の位置や、幅方向Ｙに変形しにくい部分（第１幅広部３７、第２幅広部４１）の位置が、圧入方向Ｘにおいて異なる。
【００５７】
よって、スルーホール１１に圧入されたプレスフィット端子１のプレスフィット部１３は、各膨出部１５の当接部１９同士が幅方向Ｙに接近するような、中心軸Ａを挟んで線対称の相似形状には変形しない。むしろ、プレスフィット部１３は、第１アーム部２３の第１幅狭部３５と第２アーム部２５の第２幅狭部３９とが接近するように、スリット２１の周囲を反時計回りに周回する方向に捻れ変形する。
【００５８】
このため、プレスフィット端子１がスルーホール１１に圧入されると、プレスフィット部１３の第１アーム部２３では、幅方向Ｙに変形しにくい第１幅広部３７寄りの部分が、スルーホール１１の内壁に圧接される。また、幅方向Ｙに変形しやすい第１幅狭部３５寄りの部分が、圧接されたスルーホール１１の内壁からの反力により、スルーホール１１の内壁に当接しつつスリット２１側に変形した状態に維持される。
【００５９】
一方、プレスフィット端子１がスルーホール１１に圧入されると、プレスフィット部１３の第２アーム部２５では、幅方向Ｙに変形しにくい第２幅広部４１寄りの部分が、スルーホール１１の内壁に圧接される。また、幅方向Ｙに変形しやすい第２幅狭部３９寄りの部分が、圧接されたスルーホール１１の内壁からの反力により、スルーホール１１の内壁に当接しつつスリット２１側に変形した状態に維持される。
【００６０】
このため、プレスフィット端子１がスルーホール１１に圧入された際に、スルーホール１１の内壁からの反力により幅方向Ｙに変形するプレスフィット部１３を、幅方向Ｙにおけるスリット２１の両側の第１アーム部２３及び第２アーム部２５の双方において、圧入方向Ｘの広い範囲で、スルーホール１１の内壁に当接させることができる。よって、プレスフィット端子１とスルーホール１１との接触面積を増やして両者の確実な電気的接続を実現することができる。
【００６１】
なお、プレスフィット端子１がスルーホール１１に圧入されて、プレスフィット部１３がスルーホール１１の内壁からの反力を受けると、その反力により、第１アーム部２３には、幅方向Ｙに変形しやすい第１幅狭部３５が位置する端子ピン７の基端側から、幅方向Ｙに変形しにくい第１幅広部３７が位置する端子ピン７の先端側に向かう応力が生じる。
【００６２】
一方、第２アーム部２５には、幅方向Ｙに変形しやすい第２幅狭部３９が位置する端子ピン７の先端側から、幅方向Ｙに変形しにくい第２幅広部４１が形成された端子ピン７の基端側に向かう応力が生じる。
【００６３】
ここで、第１アーム部２３に生じる応力の始点側となる端子ピン７の基端側に形成された第１アーム部２３の第１幅狭部３５には、第２アーム部２５のうち幅方向Ｙにおける寸法が大きい第２幅広部４１が接続されている。このため、第１アーム部２３の応力に対抗できる剛性を第２幅広部４１が有していると、第１アーム部２３の応力によって第１幅狭部３５が幅方向Ｙに変形しにくくなる。
【００６４】
また、第２アーム部２５に生じる応力の始点側となる端子ピン７の先端側に形成された第２アーム部２５の第２幅狭部３９には、第１アーム部２３のうち幅方向Ｙにおける寸法が大きい第１幅広部３７が接続されている。このため、第２アーム部２５の応力に対抗できる剛性を第１幅広部３７が有していると、第２アーム部２５の応力によって第２幅狭部３９が幅方向に変形しにくくなる。
【００６５】
すると、プレスフィット端子１をスルーホール１１に圧入しようとしても、第１アーム部２３及び第２アーム部２５の双方が幅方向Ｙにおいてスリット２１側に変形しにくいので、プレスフィット部１３を幅方向Ｙのスリット２１側に変形させてプレスフィット端子１をスルーホール１１に圧入することができにくくなってしまう。
【００６６】
そこで、本実施形態では、図１に示すようにスリット２１の圧入方向Ｘにおける両端にそれぞれ接続して切り込み部４３を形成した。そして、図３に示すようにプレスフィット端子１をスルーホール１１に圧入する際に、第１アーム部２３及び第２アーム部２５の応力により各切り込み部４３が引き裂かれるようにした。
【００６７】
このため、第１アーム部２３の応力に対抗できる剛性を第２アーム部２５の第２幅広部４１が有していても、端子ピン７の基端側の引き裂かれた切り込み部４３において応力の伝達が遮断されて、第１アーム部２３の応力が第２幅広部４１に伝わりにくくなる。したがって、第１幅狭部３５が第１アーム部２３の応力によって幅方向Ｙに変形しにくくなることはない。
【００６８】
同様に、第２アーム部２５の応力に対抗できる剛性を第１アーム部２３の第１幅広部３７が有していても、端子ピン７の先端側の引き裂かれた切り込み部４３において応力の伝達が遮断されて、第２アーム部２５の応力が第１幅広部３７に伝わりにくくなる。したがって、第２幅狭部３９が第２アーム部２５の応力によって幅方向Ｙに変形しにくくなることはない。
【００６９】
したがって、プレスフィット端子１をスルーホール１１に圧入する際に、第１アーム部２３や第２アーム部２５に生じる応力でプレスフィット部１３が幅方向Ｙに確実に変形する構成として、プレスフィット端子１をスルーホール１１に確実に圧入できるようにすることができる。
【００７０】
なお、スリット２１の圧入方向Ｘにおける両端にそれぞれ接続して形成した切り込み部４３は、省略しても良い。
【００７１】
また、プレスフィット部１３の各膨出部１５の輪郭は、直線部１７と円弧状の当接部１９との組み合わせに限らず、例えば、一つの円弧部等によって構成してもよい。
【００７２】
但し、第１アーム部２３と第２アーム部２５とで、プレスフィット端子１がスルーホール１１に圧入されたときに幅方向Ｙに変形し易い部分（第１幅狭部３５、第２幅狭部３９）の位置や、幅方向Ｙに変形しにくい部分（第１幅広部３７、第２幅広部４１）の位置を、圧入方向Ｘにおいて異ならせる必要がある。
【産業上の利用可能性】
【００７３】
本発明は、回路基板のスルーホールに圧入されて接触圧によりスルーホールとの電気的接続を果たすプレスフィット端子に用いて、極めて有用である。
【符号の説明】
【００７４】
１  プレスフィット端子
３  コネクタ
５  ハウジング
７  端子ピン
９  回路基板
１１  スルーホール
１３  プレスフィット部
１５  膨出部
１７  直線部
１９  当接部
２１  スリット
２３  第１アーム部
２５  第２アーム部
２７  第１短辺部
２９  第１長辺部
３１  第２短辺部
３３  第２長辺部
３５  第１幅狭部
３７  第１幅広部
３９  第２幅狭部
４１  第２幅広部
４３  切り込み部
Ａ  プレスフィット部中心軸
Ｃ  プレスフィット部中心点
Ｘ  圧入方向
Ｙ  幅方向
Ｚ  厚み方向
【図１】
2019087307.tif 000003
【図２】
2019087307.tif 000004
【図３】
2019087307.tif 000005